(57)【特許請求の範囲】
【請求項１】
外容器と；
前記外容器の内部に結合され、内部の内容物の使用により上昇するピストン、及び空気が流入できるように、下端部に空気流入孔が具備される内容器と；
前記外容器の上部を覆って結合され、ポンピング部材を支持する支持体と；
前記支持体に結合され、ポンピング作用により内容物を排出するポンピング部材と；
前記ポンピング部材の上部に位置して、前記ポンピング部材を加圧し、前記ポンピング部材を加圧するためのユーザーの指が案着されるように、中央部に形成される加圧表示部、及び偏向された位置に内容物排出孔が形成される、下方向に陥没して形成される排出部、を更に含むボタン部と；及び
前記ポンピング部材の上部に結合される結合管、及び前記結合管から上方向きに突出して前記ボタン部に結合され、前記内容物排出孔と連通する連通部を含み、前記結合管を通じて垂直方向に移動する内容物の方向を変えることにより、偏向された位置に形成される前記内容物排出孔へ内容物が移動する通路を更に含む、内容物移動部と；を備える、クリームタイプ化粧品用の真空ポンプが具備された容器であって、
前記外容器の上端には、空気を空気流入孔へ移動させることで前記ピストンが移動できるように、前記支持体により覆われて外側へ露出されない少なくとも１つ以上の所定の位置に、前記上端の一部が切開されて形成された空気移動孔が具備されることを特徴とする容器。
【請求項２】
前記外容器の上部には一側はなだらかな斜面を形成し、他側は垂直面を形成する多数の係止突起が外周面に沿って、一定の間隔で離隔されて形成されることを特徴とする請求項１に記載の真空ポンプが具備されたクリームタイプ化粧品容器。
【請求項３】
前記支持体の内周面には、前記係止突起に当接する回転突起と回転溝が内周面に沿って交互に形成されることを特徴とする、請求項２に記載の真空ポンプが具備されたクリームタイプ化粧品容器。
【請求項４】
前記回転突起は、前記係止突起に対応する形状で構成され、支持体を閉鎖方向へ回転する時に、前記係止突起の傾斜面を乗り越えるように構成されるが、支持体を開放方向へ回転する時には、前記係止突起の垂直面により一部が破損されるように構成されることを特徴とする、請求項３に記載の真空ポンプが具備されたクリームタイプ化粧品容器。
【発明の詳細な説明】
【技術分野】
【０００１】
本発明は真空ポンプが具備されたクリームタイプ化粧品容器に関することで、より詳細にはボタン部の排出孔を偏向されるように位置させてボタン部の上端中央部に、ボタン部を加圧する加圧表示部を形成することで、ボタン部の加圧部位をユーザーが正確に認識することが可能になり、ボタン部の傾く現象なしに片手で簡単にポンピング作用を進行して内容物を一定に排出することが可能な真空ポンプが具備されたクリームタイプ化粧品容器に関することである。
【背景技術】
【０００２】
一般的に真空化粧品容器は化粧品容器に収容される内容物と空気の接触を遮断するように構成されることで、内容物が収容される容器本体と、前記容器本体の上端を覆って結合されポンピング部材を支持する支持体と、前記支持体に結合され、容器本体の内部を真空状態にさせて、ポンピング作動により内容物を排出するポンピング部材と、前記ポンピング部材の上端に位置してユーザーの加圧によりポンピング部材を加圧し、中央部に内容物排出孔が形成されるボタン部と、前記容器本体の内部に収容されてポンピング部材の作動によって昇降されるピストンで構成される。
【０００３】
前記のような構成で形成された真空化粧品容器はボタン部の上端部が中央部へ行くほど陥没される陥没部を形成して陥没部で排出される内容物を手につけて使用するように構成されるが、内容物排出孔がボタン部の中央に位置することにより、ボタン部の中央部を加圧してポンピング作用を進行できない構造であるから、排出孔を中心にボタン部のいずれの一側を加圧したり、上端両側を加圧してポンピング作用が行われる。
【０００４】
しかし、片手でボタン部のある一側を加圧する場合、ボタン部が一側に傾く現象が発生することになり、しっかりとポンピング作用が行われず、内容物を一定に排出することが難しい問題点があった。
【０００５】
従って、ユーザーは、排出孔を中心にボタン部の両側を加圧してポンピング作用を進行するようになり、この場合、両手を使用する必要があるので、ユーザーの不便さを招くことになる問題点があった。
【０００６】
一方、前記のような従来の真空化粧品容器はピストンの上昇のために容器本体の下端部に形成される空気移動孔が外部に露出されている構造であるので、空気移動孔を通じて異物質が流入するおそれがあるだけでなく、外観を損なう問題点があった。
【０００７】
また、前記のような従来の真空化粧品容器は容器本体と支持体が単純にねじ結合を通じて結合されるので、ユーザーがネジ結合を解体して容器本体から支持体を任意に脱離することが可能である。
【０００８】
しかし、支持体を容器本体から脱離する場合、空気の流入による内容物の変質が発生することになり、ユーザーがこの様な点を悪用して内容物をほとんど使用した後、故意的に支持体を容器本体から脱離して内容物を変質させたり、容器本体内に異物質を投入して製品の交換を要求するなど、販売者の被害事例が頻繁に発生しているのが実情である。
【発明の開示】
【発明が解決しようとする課題】
【０００９】
本発明は上述した問題点を解決するために案出されたことで、本発明の目的はボタン部の排出孔を偏向するように位置させてボタン部の上端中央部にボタン部を加圧する加圧表示部を形成することで、ボタン部の加圧部位をユーザーが正確に認識することが可能になり、ボタン部の傾く現象なしに、片手で簡単にポンピング作用を進行して、内容物を一定に排出することが可能な真空ポンプが具備されたクリームタイプ化粧品容器を提供することである。
【００１０】
また、外容器の上端に空気の移動が可能な空気移動孔を形成して空気移動孔が支持体によって外部に露出されないようにすることで、外観を損なわないだけでなく、空気移動孔を通じて異物質が流入することを防止できる真空ポンプが具備されたクリームタイプ化粧品容器を提供することである。
【００１１】
また、外容器と支持体の突起構造および支持体の逆方向回転を通じてユーザーが外容器から支持体を無理に脱離する場合、支持体に形成された突起の破損が発生するようにすることで、突起状態を通じて支持体の脱離可否を確認することが可能になるので、ユーザーの悪意的な行動を防止することができる真空ポンプが具備されたクリームタイプ化粧品容器を提供することである。
【課題を解決するための手段】
【００１２】
前記のような問題点を解決するために本発明による真空ポンプが具備されたクリームタイプ化粧品容器は、外容器と；前記外容器の内部に結合されて内容物が収容され、その内部に内容物の使用により上昇されるピストンが具備される内容器と；前記外容器の上部を覆い結合され、ポンピング部材を支持する支持体と；前記支持体に結合されてポンピング作用により内容物を排出するポンピング部材と；前記ポンピング部材の上部に位置してポンピング部材を加圧しながら、中央部にはポンピング部材を加圧するためユーザーの指が安着されるように加圧表示部が形成され、前記加圧表示部から偏向された位置に内容物排出孔が形成される排出部が、下方向に陥没して形成されるボタン部と；および一側は前記ポンピング部材の上部に結合されて、他側は前記ボタン部の下部に結合され、前記ポンピング部材を通じて移動する内容物を内容物排出孔へ移動させる内容物移動部と；を含くむことを特徴とする。
【００１３】
また、前記外容器の上部には一側はなだらかな傾斜面を形成して、他側は垂直面を形成する多数の係止突起が、外周面に沿って一定間隔離隔され形成されることを特徴とする。
【００１４】
また、前記支持体の内周面には、前記係止突起に当接する回転突起及び回転溝が内周面に沿って交互に形成されることを特徴とする。
【００１５】
また、前記回転突起は前記係止突起に対応される形状に成り、支持体を閉鎖方向へ回転時に前記係止突起の傾斜面を乗り越えるように構成されて、支持体を開放方向へ回転時には前記係止突起の垂直面によって一部が破損されるように構成されることを特徴とする。
【００１６】
また、前記外容器の上端には外容器の内部に空気の移動が可能になるよう上端の一部が切開形成される空気移動孔が少なくとも１つ以上具備されることを特徴とする。
【００１７】
また、前記内容物の移動部は前記ポンピング部材の上端に結合される結合管と、前記結合管を通じて流入される内容物が移動する通路を形成し上方向に突出して前記ボタン部に結合され、前記内容物排出孔と連通される連通部で構成されることを特徴とする。
【００１８】
また、前記内容物排出孔には内容物の圧力によって開放されるラバーチップが結合されることを特徴とする。
【発明の効果】
【００１９】
以上、詳述したように本発明によるとボタン部の排出孔を偏向されるように位置させてボタン部の上端中央部にボタン部を加圧する加圧表示部を形成することで、ボタン部の加圧部位をユーザーが正確に認識することが可能になり、ボタン部の傾く現象なしに片手で簡単にポンピング作用を進行して内容物を一定に排出することが可能な長所がある。
【００２０】
また、外容器の上端に空気の移動が可能な空気移動孔を形成し、空気移動孔が支持体によって外部に露出されないようにすることで、外観を損なわないだけでなく、空気移動孔を通じて異物質が流入することを防止できる長所がある。
【００２１】
また、外容器と支持体の突起構造は、支持体の逆方向回転を通じてユーザーが外容器から支持体を無理に脱離する場合、支持体に形成された突起の破損が発生するようになり、突起状態を通じて支持体の脱離可否を確認することが可能なので、ユーザーの悪意的な行動を防止することができる長所がある。
【図面の簡単な説明】
【００２２】
【図１】本発明の好ましい実施例による真空ポンプが具備されたクリームタイプ化粧品容器の構成を示す分解斜視図。
【図２】本発明の好ましい実施例による真空ポンプが具備されたクリームタイプ化粧品容器の構成を示す結合斜視図。
【図３】本発明の好ましい実施例による真空ポンプが具備されたクリームタイプ化粧品容器の構成を示す断面図。
【図４】図３の”Ａ”の部分を拡大してピストン上昇のための空気の移動を示す説明図。
【図５】本発明の好ましい実施例による真空ポンプが具備されたクリームタイプ化粧品容器の支持体の回転による回転突起の移動状態を示す状態図。
【図６】本発明の好ましい実施例による真空ポンプが具備されたクリームタイプ化粧品容器の使用方法を示す説明図。
【図７】本発明の好ましい実施例による真空ポンプが具備されたクリームタイプ化粧品容器の使用方法を示す説明図。
【発明を実施するための形態】
【００２３】
以下、図面を参照して本発明を詳細に説明することにする。各図面に提示された同一な参照符号は同一な部材を示す。
【００２４】
図１は本発明の好ましい実施例による真空ポンプが具備されたクリームタイプ化粧品容器の構成を示す分解斜視図で、図２は本発明の好ましい実施例による真空ポンプが具備されたクリームタイプ化粧品容器の構成を示す結合斜視図であり、図３は、本発明の好ましい実施例による真空ポンプが具備されたクリームタイプ化粧品容器の構成を示す断面図である。
【００２５】
図４は図３の”Ａ”の部分を拡大して、ピストンの上昇のため空気の移動を表示した説明図で、図５は本発明の好ましい実施例による真空ポンプが具備されたクリームタイプ化粧品容器の支持体の回転による回転突起の移動状態を示す状態図であり、図６および７は本発明の好ましい実施例による真空ポンプが具備されたクリームタイプ化粧品容器の使用方法を示す説明図である。
【００２６】
図１ないし７を参照すると、本発明の好ましい実施例による真空ポンプが具備されたクリームタイプ化粧品容器は外容器（１００）、内容器（２００）、支持体（３００）、ポンピング部材（４００）、ボタン部（５００）、内容物の移動部（６００）が含まれる。
【００２７】
前記外容器（１００）は内容器（２００）を収容することで、内容器（２００）を外部から確認できるように透明材質で形成され、その上部には後述する支持体（３００）とのネジ結合が可能なように第１ネジ山（１１１）が形成された結合部（１１０）が具備される。
【００２８】
本発明において、前記外容器（１００）には第１ネジ山（１１１）が終わる結合部（１１０）の下部外周面に沿って、一側はなだらかな傾斜面を形成して、他側は垂直面を形成する多数の係止突起（１１２）が一定間隔離隔されて形成されるのが特徴で、前記係止突起（１１２）は支持体（３００）の回転時に回転突起（３３０）と当接するように構成され、支持体（３００）を閉鎖方向へ回転時には、回転突起（３３０）が係止突起（１１２）の一側傾斜面を乗り越えるように構成されるが、支持体（３００）を開放方向へ回転時には、回転突起（３３０）が係止突起（１１２）の他側垂直面により干渉が起きるよう構成される。
【００２９】
これにより、ユーザーが支持体（３００）を開放方向へ無理に回転させる場合、係止突起（１１２）によって回転突起（３３０）の一部が破損されることになり、ユーザーが外容器（１００）から支持体（３００）を脱離したかの可否を確認することができる。
【００３０】
また、本発明において、前記外容器（１００）の結合部（１１０）の上端には、外容器（１００）の内部に空気の移動が可能なように、上端の一部が切開形成される空気移動孔（１１３）が少なくとも１つ以上具備されていることが特徴で、空気移動孔（１１３）を結合部（１１０）の上端に形成することで、空気移動孔（１１３）が支持体（３００）によって隠されて外部に露出されないため、外観を損なわないことはもちろん、空気移動孔（１１３）を通じて異物質が流入することを遮断できるようになる。
【００３１】
前記内容器（２００）は前記外容器（１００）の内部に結合されて内容物が収容されることで、その内部に内容物の使用により上昇されるピストン（２１０）が具備される。
【００３２】
前記内容器（２００）の下端には前記空気移動孔（１１３）を通じて流入された空気が内容器の内部に移動してピストン（２１０）を上昇させることが可能になるよう空気の流入孔（２２０）が形成される。
【００３３】
前記支持体（３００）は前記外容器（１００）の上部を覆って結合されポンピング部材（４００）を支持することで、外容器（１００）とのネジ結合が可能なように、第１ネジ山（１１１）と結合される第２のネジ山（３１０）が具備される。
【００３４】
前記支持体（３００）の中央部にはポンピング部材（４００）を支持し、ポンピング部材（４００）のピストンが昇下降されるシリンダ（３２０）が具備されるが、前記シリンダ（３２０）の下端にはポンピング部材（４００）の作動時に内容器（２００）に収容された内容物が流入されるよう内容物の流入孔（３２１）が形成され、前記内容物の流入孔（３２１）の上端には、ポンピング部材（４００）の作動可否により開閉されるチェックバルブ（３２２）が設置される。
【００３５】
本発明において、前記支持体（３００）の内周面には支持体（３００）の回転により、前記係止突起（１１２）に当接する回転突起（３３０）と回転溝（３４０）が内周面に沿って交互に形成されることが特徴で、前記回転突起（３３０）は図５に示めされたように、前記係止突起（１１２）と対応される形状で構成されて、支持体（３００）を閉鎖方向へ回転時には前記係止突起（１１２）の傾斜面を乗り越えるように構成されるが、支持体（３００）を開放方向へ回転時には前記係止突起（１１２）の垂直面により干渉が発生するように構成される。
【００３６】
前記回転突起（３３０）は、係止突起（１１２）より軟質の材質で構成され、ユーザーが任意で支持体（３００）を開放する場合、係止突起（１１２）との摩擦により回転突起（３３０）の一部に破損が発生することになり、回転突起（３３０）の状態によりユーザーによる支持体（３００）の開放可否を容易に確認できるので、支持体（３００）を脱離して内容器（２００）の内部に異物質を投入するなどのユーザーの不法的な行動を識別することが可能になる。
【００３７】
一方、前記支持体（３００）には外容器（１００）とのネジ結合時に前記内容器（２００）の上端と当接しながら内容器（２００）を密閉させるパッキン部材（３５０）が具備されることが好ましい。
【００３８】
前記ポンピング部材（４００）は前記支持体（３００）に結合されポンピング作動によって内容物を排出することで、本発明が属する技術分野では公知技術なので詳細な説明は省略する。
【００３９】
前記ボタン部（５００）は、前記ポンピング部材（４００）の上部に結合され、ユーザーの操作によりポンピング部材（４００）を加圧してポンピング作動を可能にすることで、本発明において、前記ボタン部（５００）の中央部には、ユーザーの指が安着されるように加圧表示部（５１０）が形成されることが特徴である。
【００４０】
前記加圧表示部（５１０）は、図６に図示されたよう前記ボタン部（５００）の中央部に位置し、指が案着される位置を案内することで、ポンピング部材（４００）のポンピング作用のためユーザーがボタン部（５００）を加圧時にボタン部（５００）の加圧部位をユーザーが正確に認識することが可能なので、ボタン部（５００）の傾く現象なしに片手で簡単にポンピング作用を進行して、内容物を一定に排出して使用できることになる。
【００４１】
一方、前記ボタン部（５００）には、前記加圧表示部（５１０）から偏向された位置に内容物排出孔（５２１）が形成される排出部（５２０）が下方向に陥没されて形成されることが特徴で、前記内容物排出孔（５２１）を通じて排出される内容物が、皿形状のように陥没形成される排出部（５２０）の上端へ排出されるように構成される。
【００４２】
前記内容物排出孔（５１０）には、ユーザーが意図しない状態で内容物が流出されることを防止し、ポンピング部材（４００）のポンピング作用による内容物の上昇時に、内容物の圧力によって開放されるラバーチップ（５２２）が結合されるのが好ましい。
【００４３】
一方、前記ボタン部（５００）の内側には後述する連通部（６２０）が結合される結合突起（５３０）が具備される。
【００４４】
前記内容物移動部（６００）は、前記ポンピング部材（４００）とボタン部（５００）の間に位置して、前記ポンピング部材（４００）を通じて移動する内容物を、内容物排出孔（５２１）へ移動させるもので、前記ポンピング部材（４００）の上部に結合される結合管（６１０）と、前記結合管（６１０）を通じて流入される内容物が、移動する通路を形成し上方向に突出されて、前記ボタン部（５００）の内側に形成される結合突起（５３０）に、挟み込み結合される連通部（６２０）で構成される。
【００４５】
前記連通部（６２０）は、結合突起（５３０）に挟み込み結合されて前記内容物排出孔（５２１）と連通することで、ポンピング部材（４００）から流入される内容物が、内容物排出孔（５２１）を通じて外部に排出されるよう案内することになる。
【００４６】
前記オーバーキャップ（７００）は、前記外容器（１００）の上部からボタン部（５００）を覆って、前記支持体（３００）に着脱可能に結合されることで、ボタン部（５００）の誤作動を防止することになる。
【００４７】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は添付された特許請求の範囲の技術的思想によって定められるべきである
【図１】
0006323726.tif 000002
【図２】
0006323726.tif 000003
【図３】
0006323726.tif 000004
【図４】
0006323726.tif 000005
【図５（ａ）】
0006323726.tif 000006
【図５（ｂ）】
0006323726.tif 000007
【図６】
0006323726.tif 000008
【図７】
0006323726.tif 000009